(57)【要約】【課題】キャップの締込み抵抗が増加した状態での締込みが行い易く、締込み不足をなくし得る湯たんぽを提供する。【解決手段】円盤形をなし、中央部に注排水口１１を有する貯湯器１の注排水口１１を螺着により閉塞するキャップ２を、注排水口１１を閉塞する蓋部２１と、該蓋部２１の内側に連なる螺子部２２と、蓋部２１の外側に配され、螺子部２２の径方向へ延出されている指掛片２３とを有する構成とし、キャップ２の締込み抵抗が増加するとき、該キャップ２を締込んでいる指を指掛片２３に引掛けてキャップ２を締込むことができるようにした。【選択図】図１
2010029286.tif 000002
【特許請求の範囲】
【請求項１】
注排水口を有する貯湯器と、螺着により前記注排水口を閉塞するキャップとを備える湯たんぽにおいて、前記キャップは、前記注排水口を閉塞する蓋部と、該蓋部の内側に連なる螺子部と、前記蓋部の外側に配され、前記螺子部の径方向へ延出されている指掛片とを有することを特徴とする湯たんぽ。
【請求項２】
前記指掛片の延出先部は前記蓋部の周縁よりも外部に配してある請求項１記載の湯たんぽ。
【請求項３】
前記指掛片は、異方向へ複数配してある請求項１又は２記載の湯たんぽ。
【請求項４】
前記貯湯器は円盤形をなし、中央部に前記注排水口を配してある請求項１から３のいずれか一つに記載の湯たんぽ。
【請求項５】
前記貯湯器は、中央部に円形凹所を有し、該円形凹所に前記キャップを配してある請求項４記載の湯たんぽ。
【請求項６】
前記貯湯器の周縁部は、該周縁部の一部が窪むことにより板状の摘み部を設けてある請求項４又は５記載の湯たんぽ。
【発明の詳細な説明】
【技術分野】
【０００１】
本発明は貯湯器内に貯えた湯により被温物を温める湯たんぽに関する。
【背景技術】
【０００２】
湯たんぽは、角部が丸い略直方体をなし、長手方向の一端部に注排水口が開設され、他端部に提げ手を有する貯湯器と、前記注排水口に螺着されるキャップとを備える（例えば、特許文献１参照）。キャップは、螺子部と、該螺子部に連なり注排水口を閉塞する蓋部とを有し、螺子部の外周面を摘んで締込むことにより注排水口を閉塞するように構成されている。
【特許文献１】特開２００７−２６０１４７号公報
【発明の開示】
【発明が解決しようとする課題】
【０００３】
ところで、注排水口の周りに螺着されるキャップは、蓋部が注排水口の口縁と接触し始めてから完全に締込まれるまでの間で締込み抵抗が増加することになり、完全に締込まれていないとき、注排水口を完全に閉塞することができず、貯湯器内の湯が注排水口から外部へ洩れることになる。
【０００４】
ところが、従来の湯たんぽにおけるキャップは、螺子部の外周面を摘んで締込まれるように構成されており、締込み抵抗が増加するのに伴って締込み操作が行い難いようになっているため、使用者によっては、完全に締込まれていない段階で完全に締込まれたと思い込み、締込み操作を止めることがあり、改善策が要望されていた。
【０００５】
本発明は斯かる事情に鑑みてなされたものであり、主たる目的は注排水口の周りに螺着されるキャップを、螺子部と、該螺子部に連なり前記注排水口の縁部を閉塞する蓋部と、該蓋部の前記螺子部と反対側から前記螺子部の径方向へ延出されている指掛片とを有する構成とすることにより、締込み抵抗が増加した状態での締込みが行い易く、締込み不足をなくし得る湯たんぽを提供することにある。
【０００６】
また、他の目的は指掛片の延出先部を蓋部の周縁よりも外部に配することにより、指掛片に引掛ける指の本数を多くすることができ、指掛片に指掛けしての締め込み操作が行い易い湯たんぽを提供することにある。
【０００７】
また、他の目的は指掛片を異方向へ複数配してある構成とすることにより、指掛片の長さを長くすることなく指掛片に指掛けしての締込み操作が行い易い湯たんぽを提供することにある。
【０００８】
また、他の目的は円盤形をなす貯湯器とし、中央部に注排水口を配することにより、キャップの指掛片に指掛けした指により貯湯器をバランスよく吊下げることができ、湯たんぽを持ち運び易い湯たんぽを提供することにある。
【０００９】
また、他の目的は注排水口の周りに円形凹所を有する貯湯器とし、円形凹所にキャップを配することにより、キャップの出っ張り量を多くすることなく指掛片に指掛けしての締め込み操作が行い易い湯たんぽを提供することにある。
【００１０】
また、他の目的は周縁の一部に凹所を有し、該凹所に板部を設けてある貯湯器とすることにより、貯湯器内の湯温が板部に伝導され難く、貯湯されている貯湯器を、板部を摘んで容易に持ち運ぶことができる湯たんぽを提供することにある。
【課題を解決するための手段】
【００１１】
第１発明に係る湯たんぽは、注排水口を有する貯湯器と、螺着により前記注排水口を閉塞するキャップとを備える湯たんぽにおいて、前記キャップは、前記注排水口を閉塞する蓋部と、該蓋部の内側に連なる螺子部と、前記蓋部の外側に配され、前記螺子部の径方向へ延出されている指掛片とを有することを特徴とする。
【００１２】
第１発明にあっては、キャップの締込み抵抗が増加するとき、該キャップを締込んでいる指を指掛片に引掛けてキャップを締込むことができるため、締込み抵抗が増加した状態での締込みが行い易く、締込み不足をなくし得る。
【００１３】
第２発明に係る湯たんぽは、前記指掛片の延出先部は前記蓋部の周縁よりも外部に配してあることを特徴とする。
第２発明にあっては、指掛片を比較的長くすることができるため、指掛片に引掛ける指の本数を多くすることができ、指掛片に指掛けしての締め込み操作が行い易い。
【００１４】
第３発明に係る湯たんぽは、前記指掛片は、異方向へ複数配してあることを特徴とする。
第３発明にあっては、指掛片に指掛けする指の本数を多くすることができるため、指掛片の長さを長くすることなく指掛片に指掛けしての締込み操作が行い易い。
【００１５】
第４発明に係る湯たんぽは、前記貯湯器は円盤形をなし、中央部に前記注排水口を配してあることを特徴とする。
第４発明にあっては、円盤形をなす貯湯器の中央部にキャップがあるため、該キャップの指掛片に指掛けした指により貯湯器をバランスよく吊下げることができ、湯たんぽを持ち運び易い。
【００１６】
第５発明に係る湯たんぽは、前記貯湯器は、中央部に円形凹所を有し、該円形凹所に前記キャップを配してあることを特徴とする。
第５発明にあっては、指掛片に指掛けされる指の指先部を円形凹所に侵入させて指掛片を締込み操作することができるため、キャップの出っ張り量を多くすることなく指掛片に指掛けしての締め込み操作が行い易い。
【００１７】
第６発明に係る湯たんぽは、前記貯湯器の周縁部は、該周縁部の一部が窪むことにより板状の摘み部を設けてあることを特徴とする。
第６発明にあっては、貯湯器の周縁よりも内側へ窪む凹所に板状の摘み部が設けられているため、貯湯器内の湯温が摘み部に伝導され難く、貯湯されている貯湯器を、摘み部を摘んで容易に持ち運ぶことができる。
【発明の効果】
【００１８】
第１発明によれば、キャップの締込み抵抗が増加するとき、該キャップを締込んでいる指を指掛片に引掛けてキャップを締込むことができるため、締込み抵抗が増加した状態での締込みが行い易く、締込み不足をなくし得る。
【００１９】
第２発明によれば、指掛片を比較的長くすることができるため、指掛片に引掛ける指の本数を多くすることができ、指掛片に指掛けしての締め込み操作が行い易い。
【００２０】
第３発明によれば、指掛片に指掛けする指の本数を多くすることができるため、指掛片の長さを長くすることなく指掛片に指掛けしての締込み操作が行い易い。
【００２１】
第４発明によれば、円盤形をなす貯湯器の中央部にキャップがあるため、該キャップの指掛片に指掛けした指により貯湯器をバランスよく吊下げることができ、湯たんぽを持ち運び易い。
【００２２】
第５発明によれば、指掛片に指掛けされる指の指先部を円形凹所に侵入させて指掛片を締込み操作することができるため、キャップの出っ張り量を多くすることなく指掛片に指掛けしての締め込み操作が行い易い。
【００２３】
第６発明によれば、貯湯器の周縁よりも内側へ窪む凹所に摘み部が設けられているため、貯湯器内の湯温が摘み部に伝導され難く、貯湯されている貯湯器を、摘み部を摘んで容易に持ち運ぶことができる。
【発明を実施するための最良の形態】
【００２４】
以下、本発明をその実施の形態を示す図面に基づいて詳述する。図１は本発明に係る湯たんぽの構成を示す縦断正面図、図２は湯たんぽの構成を示す縦断側面図、図３は湯たんぽの構成を示す正面図、図４は湯たんぽの構成を示す平面図、図５は湯たんぽの構成を示す上面側の斜視図、図６は湯たんぽの構成を示す底面側の斜視図である。
【００２５】
図に示した湯たんぽは、上面の中央部に注排水口１１及び該注排水口１１の周りで立上がる筒螺子部１２を有し、内部に貯湯される貯湯器１と、筒螺子部１２に螺着されるキャップ２とを備える。
【００２６】
貯湯器１は合成樹脂材料を円盤形にブロー成形してなり、上面の中央部に、内側へ窪む深皿状の円形凹所１３が設けられており、該円形凹所１３の中央部に筒螺子部１２が配されている。貯湯器１の周縁の二個所には上下面間で内側へ窪む凹所１４，１４が設けられており、該凹所１４，１４の上下方向中央部に板状の摘み部１５，１５が一体に設けられている。筒螺子部１２は、円形凹所１３の深さよりも短く形成されており、外周に螺子が設けられている。尚、貯湯器１は、円形凹所１３、凹所１４，１４及び摘み部１５，１５を有し、上面中央部に嵌合孔を開設してある貯湯器本体の嵌合孔に筒螺子部１２が嵌合されている。
【００２７】
キャップ２は、筒螺子部１２の端縁に接触して注排水口１１を閉塞する板状の蓋部２１と、該蓋部２１の内側に連なり筒螺子部１２に螺着される筒状の螺子部２２と、蓋部２１の外側に配され、該蓋部２１から筒螺子部１２の径方向外方へ延出されている二つの指掛片２３，２３とを合成樹脂材料により一体に成形されている。また、蓋部２１の内面には、筒螺子部１２の端縁に接触する弾性環３が保持されている。
【００２８】
蓋部２１の中央部は螺子部２２と反対側へ突出する筒状の連結凸部２５を有し、該連結凸部２５の先端に指掛片２３，２３が一体に設けられている。また、連結凸部２５の二つの周方向位置には、蓋部２１及び指掛片２３，２３を一体に連結する補強用のリブ２６，２６が一体に設けられている。
【００２９】
指掛片２３，２３は螺子部２２の直径よりも広幅であり、蓋部２１の外周部から螺子部２２の径方向外方へ延出された略長円の板形をなし、先部が蓋部２１の周面よりも外方へ延出され、幅方向両側部に、螺子部２２の周面を摘む指が掛かるように構成されている。
【００３０】
以上のように構成された湯たんぽは、テーブル等の台上に載置され、キャップ２が螺着されていない貯湯器１の注排水口１１から貯湯器１内へ湯が供給され、注排水口１１周りの筒螺子部１２にキャップ２の螺子部２２が螺着される。キャップ２は、螺子部２２の周面を片手の指で摘まれ、締込みにより螺着される。この際、蓋部２１の弾性環３が筒螺子部１２の端縁と接触し始めてから完全に締込まれるまでの間で締込み抵抗がある程度増加するまでは、螺子部２２の周面を摘んで締込まれ、キャップ２の締込み抵抗がある程度増加してから、キャップ２を締込んでいる指を指掛片２３，２３に引掛けてキャップ２を締込むことができる。因って、締込み抵抗が増加した状態での締込みが行い易く、締込み不足をなくすることができ、貯湯器１内の湯が注排水口１１から外部へ洩れるのを防ぐことができる。
【００３１】
貯湯器１内に貯湯された湯たんぽを持ち運ぶとき、キャップ２の指掛片２３，２３に片手の指を引掛けて持ち運ぶことができる。指掛片２３，２３は蓋部２１から延出され、貯湯された湯の温度が伝達し難にように形成されており、また、貯湯器１の中央部に配されているため、貯湯された湯たんぽを片手で容易に持ち運ぶことができる。
【００３２】
また、貯湯器１の周縁部には凹所１４，１４及び摘み部１５，１５が設けられているため、指掛片２３，２３に指を引掛けて持ち運ぶ代わりに、凹所１４，１４の摘み部１５，１５を両手の指で摘み、貯湯器１内に貯湯された湯たんぽを両手で持ち運ぶことができる。摘み部１５，１５は凹所１４，１４に配され、貯湯された湯の温度が伝達し難にように形成されているため、貯湯された湯たんぽを容易に持ち運ぶことができる。また、空の湯たんぽを持ち運ぶとき、一方の摘み部１５を摘んで持ち運ぶことができる。
【００３３】
尚、以上説明した実施の形態では、注排水口１１の周りに、筒螺子部１２を有する構成としたが、その他、筒螺子部１２をなくし、注排水口１１にキャップ２が螺着される構成としてもよい。また、筒螺子部１２を備える場合、外周に螺子部を配してある他、内周に螺子部を配してある構成であってもよい。この場合のキャップ２は、筒形の螺子部２２に代えて、柱形の螺子部を有し、該柱形の螺子部に蓋部２１が連なる構成となる。
【００３４】
また、以上説明した実施の形態では、蓋部２１の二つの周方向位置に指掛片２３，２３を備える構成としたが、その他、指掛片２３は一つの周方向位置にあってもよいし、また、三つの周方向位置以上に指掛片２３があってもよい。
【図面の簡単な説明】
【００３５】
【図１】本発明に係る湯たんぽの構成を示す縦断正面図である。
【図２】本発明に係る湯たんぽの構成を示す縦断側面図である。
【図３】本発明に係る湯たんぽの構成を示す正面図である。
【図４】本発明に係る湯たんぽの構成を示す平面図である。
【図５】本発明に係る湯たんぽの構成を示す上面側の斜視図である。
【図６】本発明に係る湯たんぽの構成を示す底面側の斜視図である
【符号の説明】
【００３６】
１    貯湯器
１１  注排水口
１３  円形凹所
１４  凹所
１５  摘み部
２    キャップ
２１  螺子部
２２  蓋部
２３  指掛片
【図１】
2010029286.tif 000003
【図２】
2010029286.tif 000004
【図３】
2010029286.tif 000005
【図４】
2010029286.tif 000006
【図５】
2010029286.tif 000007
【図６】
2010029286.tif 000008